(57)【特許請求の範囲】
【請求項１】
出力先通信装置に通信開始要求を出力する通信開始要求出力手段と、
前記出力先通信装置から前記通信開始要求に対する応答通知を受け付ける応答通知受付手段と、を含み、
前記通信開始要求出力手段は、出力した第１の通信開始要求に対する応答通知として能力不一致による接続拒否であることを示す応答通知を前記応答通知受付手段が受け付けた際に、前記第１の通信開始要求が従う通信規格とは異なる通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信開始要求が従う通信規格で前記出力先通信装置に第３の通信開始要求を出力する、
ことを特徴とする通信装置。
【請求項２】
前記通信開始要求出力手段は、前記応答通知受付手段が前記通信開始要求に対する応答通知として前記出力先通信装置との通信を承諾することを示す通知を受け付けるまで、前記出力した通信開始要求が従う通信規格で通信開始要求を繰り返し出力し、能力不一致による接続拒否が予め定められた回数に達したら、前記出力した通信開始要求が従う通信規格とは異なる通信規格で通信開始要求を出力する、
ことを特徴とする請求項１に記載の通信装置。
【請求項３】
出力した通信開始要求に対する応答通知として能力不一致による接続拒否であることを示す応答通知を受け付けた場合に前記出力した通信開始要求が従う通信規格で再度通信開始要求を出力させるか否かについての設定を表す設定情報を受け付ける設定情報受付手段、をさらに含み、
前記通信開始要求出力手段は、出力した通信開始要求に対する応答通知として能力不一致による接続拒否であることを示す応答通知を前記応答通知受付手段が受け付けた際に、前記出力した通信開始要求が従う通信規格で再度通信開始要求を出力させることを前記設定情報が表す場合に、前記出力した通信開始要求が従う通信規格で前記出力先通信装置に再度通信開始要求を出力する、
ことを特徴とする請求項１又は２に記載の通信装置。
【請求項４】
前記通信開始要求出力手段は、出力した通信開始要求に対する応答通知として能力不一致による接続拒否であることを示す応答通知を前記応答通知受付手段が受け付けた際に、前記出力先通信装置への出力対象となる情報が予め定められた条件を満足する場合は、前記出力した通信開始要求が従う通信規格で再度通信開始要求を出力し、満足しない場合は前記出力した通信開始要求が従う通信規格とは異なる通信規格で再度通信開始要求を出力する、
ことを特徴とする請求項１から３のいずれか一項に記載の通信装置。
【請求項５】
出力先通信装置に通信開始要求を出力する通信開始要求出力手段と、
前記出力先通信装置から前記通信開始要求に対する応答通知を受け付ける応答通知受付手段と、
前記出力先通信装置との通信を承諾することを示す応答通知を前記応答通知受付手段が受け付けた場合に、前記出力先通信装置に出力対象となる情報を出力する情報出力手段と、を含み、
前記通信開始要求出力手段は、第１の通信規格で出力した第１の通信開始要求に対する応答通知として能力不一致による接続拒否であることを示す応答通知を前記応答通知受付手段が受け付けた際に、前記第１の通信規格とは異なる第２の通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信規格で前記出力先通信装置に第３の通信開始要求を出力し、
前記情報出力手段は、前記第１の通信規格で出力した通信開始要求に対して前記出力先通信装置との通信を承諾することを示す応答通知を前記応答通知受付手段が受け付けた場合に、出力対象となる情報を前記第１の通信規格で出力し、前記第２の通信規格で出力した通信開始要求に対して前記出力先通信装置との通信を承諾することを示す応答通知を前記応答通知受付手段が受け付けた場合に、前記出力対象となる情報に対応する当該情報よりも情報量が小さな情報を前記第２の通信規格で出力する、
ことを特徴とする通信装置。
【請求項６】
第１の通信装置と第２の通信装置とを備え、
前記第１の通信装置は、
前記第２の通信装置から通信開始要求を受け付ける通信開始要求受付手段と、
前記第２の通信装置に前記通信開始要求に応じた応答通知を出力する応答通知出力手段と、を含み、
前記第２の通信装置は、
前記第１の通信装置に通信開始要求を出力する通信開始要求出力手段と、
前記第１の通信装置から前記通信開始要求に対する応答通知を受け付ける応答通知受付手段と、を含み、
前記通信開始要求出力手段は、出力した第１の通信開始要求に対する応答通知として能力不一致による接続拒否であることを示す応答通知を前記応答通知受付手段が受け付けた際に、前記第１の通信開始要求が従う通信規格とは異なる通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信開始要求が従う通信規格で前記出力先通信装置に第３の通信開始要求を出力する、
ことを特徴とする通信システム。
【請求項７】
第１の通信装置と第２の通信装置とを備え、
前記第１の通信装置は、
前記第２の通信装置から通信開始要求を受け付ける通信開始要求受付手段と、
前記第２の通信装置に前記通信開始要求に応じた応答通知を出力する応答通知出力手段と、
前記第２の通信装置から出力される情報を受け付ける情報受付手段と、を含み、
前記第２の通信装置は、
前記第１の通信装置に通信開始要求を出力する通信開始要求出力手段と、
前記第１の通信装置から前記通信開始要求に対する応答通知を受け付ける応答通知受付手段と、
前記第１の通信装置との通信を承諾することを示す応答通知を前記応答通知受付手段が受け付けた場合に、前記第１の通信装置に出力対象となる情報を出力する情報出力手段と、を含み、
前記通信開始要求出力手段は、第１の通信規格で出力した第１の通信開始要求に対する応答通知として能力不一致による接続拒否であることを示す応答通知を前記応答通知受付手段が受け付けた際に、前記第１の通信規格とは異なる第２の通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信規格で前記出力先通信装置に第３の通信開始要求を出力し、
前記情報出力手段は、前記第１の通信規格で出力した通信開始要求に対して前記第１の通信装置との通信を承諾することを示す応答通知を前記応答通知受付手段が受け付けた場合に、出力対象となる情報を前記第１の通信規格で出力し、前記第２の通信規格で出力した通信開始要求に対して前記第１の通信装置との通信を承諾することを示す応答通知を前記応答通知受付手段が受け付けた場合に、前記出力対象となる情報に対応する当該情報よりも情報量が小さな情報を前記第２の通信規格で出力する、
ことを特徴とする通信システム。
【請求項８】
出力先通信装置に通信開始要求を出力する通信開始要求出力手段、
前記出力先通信装置から前記通信開始要求に対する応答通知を受け付ける応答通知受付手段、としてコンピュータを機能させ、
前記通信開始要求出力手段は、出力した第１の通信開始要求に対する応答通知として能力不一致による接続拒否であることを示す応答通知を前記応答通知受付手段が受け付けた際に、前記第１の通信開始要求が従う通信規格とは異なる通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信開始要求が従う通信規格で前記出力先通信装置に第３の通信開始要求を出力する、
ことを特徴とするプログラム。
【請求項９】
出力先通信装置に通信開始要求を出力する通信開始要求出力手段、
前記出力先通信装置から前記通信開始要求に対する応答通知を受け付ける応答通知受付手段、
前記出力先通信装置との通信を承諾することを示す応答通知を前記応答通知受付手段が受け付けた場合に、前記出力先通信装置に出力対象となる情報を出力する情報出力手段、としてコンピュータを機能させ、
前記通信開始要求出力手段は、第１の通信規格で出力した第１の通信開始要求に対する応答通知として能力不一致による接続拒否であることを示す応答通知を前記応答通知受付手段が受け付けた際に、前記第１の通信規格とは異なる第２の通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信規格で前記出力先通信装置に第３の通信開始要求を出力し、
前記情報出力手段は、前記第１の通信規格で出力した通信開始要求に対して前記出力先通信装置との通信を承諾することを示す応答通知を前記応答通知受付手段が受け付けた場合に、出力対象となる情報を前記第１の通信規格で出力し、前記第２の通信規格で出力した通信開始要求に対して前記出力先通信装置との通信を承諾することを示す応答通知を前記応答通知受付手段が受け付けた場合に、前記出力対象となる情報に対応する当該情報よりも情報量が小さな情報を前記第２の通信規格で出力する、
ことを特徴とするプログラム。
【発明の詳細な説明】
【技術分野】
【０００１】
本発明は、通信装置、通信システム及びプログラムに関する。
【背景技術】
【０００２】
複数の通信規格のうちから選択される通信規格で通信を行う通信装置が存在する。特許文献１には、Ｇ４及びＧ３のプロトコル通信機能を有し、一方のプロトコルモードを選択して発呼した場合に、不完了呼を検出したときに相手情報の理由表示値に応じて、再発呼、フォールバック発呼、又は、発呼停止のいずれかの制御を行うファクシミリ装置が記載されている。
【０００３】
また、近年、固定通信と移動通信を融合し、電話・データ通信・ストリーミング放送の融合した新しい情報通信サービスを提供する基盤ネットワークである次世代ネットワーク（ＮＧＮ）を利用したファクシミリ装置間の通信が行われるようになってきている。
【先行技術文献】
【特許文献】
【０００４】
【特許文献１】特許第２７４７５９４号公報
【発明の概要】
【発明が解決しようとする課題】
【０００５】
本発明の目的の１つは、利用者が意図しない通信規格での通信を防ぐことができる通信装置、通信システム及びプログラムを提供することにある。
【０００６】
本発明の他の目的の１つは、利用者が意図しない通信規格で通信が行われる際には、利用者が意図する通信規格で通信が行われる場合よりも出力対象となる情報の情報量を抑制することができる通信装置、通信システム及びプログラムを提供することにある。
【課題を解決するための手段】
【０００７】
請求項１に記載の発明は、通信装置であって、出力先通信装置に通信開始要求を出力する通信開始要求出力手段と、前記出力先通信装置から前記通信開始要求に対する応答通知を受け付ける応答通知受付手段と、を含み、前記通信開始要求出力手段は、出力した通信開始要求に対する応答通知として能力不一致による接続拒否であることを示す応答通知を前記応答通知受付手段が受け付けた際に、前記出力した通信開始要求が従う通信規格で前記出力先通信装置に再度通信開始要求を出力することとしたものである。
【０００８】
請求項２に記載の発明は、請求項１に記載の通信装置であって、前記通信開始要求出力手段は、前記応答通知受付手段が前記通信開始要求に対する応答通知として前記出力先通信装置との通信を承諾することを示す通知を受け付けるまで、前記出力した通信開始要求が従う通信規格で通信開始要求を繰り返し出力し、能力不一致による接続拒否が予め定められた回数に達したら、前記出力した通信開始要求が従う通信規格とは異なる通信規格で通信開始要求を出力することとしたものである。
【０００９】
請求項３に記載の発明は、請求項１又は２に記載の通信装置であって、前記通信開始要求出力手段は、第１の通信開始要求に対する応答通知として能力不一致による接続拒否であることを示す応答通知を前記応答通知受付手段が受け付けた際に、前記第１の通信開始要求が従う通信規格とは異なる通信規格で前記出力先通信装置に第２の通信開始要求を出力し、前記応答通知受付手段が前記第２の通信開始要求に対する応答通知として通信中であることを示す通知を受け付けた、又は、予め定められた時間を経過しても前記応答通知受付手段が前記第２の通信開始要求に対する応答通知を受け付けなかった場合に、前記第１の通信開始要求が従う通信規格で前記出力先通信装置に第３の通信開始要求を出力することとしたものである。
【００１０】
請求項４に記載の発明は、請求項１から３のいずれか一項に記載の通信装置であって、出力した通信開始要求に対する応答通知として能力不一致による接続拒否であることを示す応答通知を受け付けた場合に前記出力した通信開始要求が従う通信規格で再度通信開始要求を出力させるか否かについての設定を表す設定情報を受け付ける設定情報受付手段、をさらに含み、前記通信開始要求出力手段は、出力した通信開始要求に対する応答通知として能力不一致による接続拒否であることを示す応答通知を前記応答通知受付手段が受け付けた際に、前記出力した通信開始要求が従う通信規格で再度通信開始要求を出力させることを前記設定情報が表す場合に、前記出力した通信開始要求が従う通信規格で前記出力先通信装置に再度通信開始要求を出力することとしたものである。
【００１１】
請求項５に記載の発明は、請求項１から４のいずれか一項に記載の通信装置であって、前記通信開始要求出力手段は、出力した通信開始要求に対する応答通知として能力不一致による接続拒否であることを示す応答通知を前記応答通知受付手段が受け付けた際に、前記出力先通信装置への出力対象となる情報が予め定められた条件を満足する場合は、前記出力した通信開始要求が従う通信規格で再度通信開始要求を出力し、満足しない場合は前記出力した通信開始要求が従う通信規格とは異なる通信規格で再度通信開始要求を出力することとしたものである。
【００１２】
請求項６に記載の発明は、通信装置であって、出力先通信装置に通信開始要求を出力する通信開始要求出力手段と、前記出力先通信装置から前記通信開始要求に対する応答通知を受け付ける応答通知受付手段と、前記出力先通信装置との通信を承諾することを示す応答通知を前記応答通知受付手段が受け付けた場合に、前記出力先通信装置に出力対象となる情報を出力する情報出力手段と、を含み、前記通信開始要求出力手段は、第１の通信規格で出力した通信開始要求に対する応答通知として能力不一致による接続拒否であることを示す応答通知を前記応答通知受付手段が受け付けた際に、前記出力した通信開始要求が従う通信規格とは異なる第２の通信規格で前記出力先通信装置に再度通信開始要求を出力し、前記情報出力手段は、前記第１の通信規格で出力した通信開始要求に対して前記出力先通信装置との通信を承諾することを示す応答通知を前記応答通知受付手段が受け付けた場合に、出力対象となる情報を前記第１の通信規格で出力し、前記第２の通信規格で出力した通信開始要求に対して前記出力先通信装置との通信を承諾することを示す応答通知を前記応答通知受付手段が受け付けた場合に、前記出力対象となる情報に対応する当該情報よりも情報量が小さな情報を前記第２の通信規格で出力することとしたものである。
【００１３】
請求項７に記載の発明は、通信システムであって、第１の通信装置と第２の通信装置とを備え、前記第１の通信装置は、前記第２の通信装置から通信開始要求を受け付ける通信開始要求受付手段と、前記第２の通信装置に前記通信開始要求に応じた応答通知を出力する応答通知出力手段と、を含み、前記第２の通信装置は、前記第１の通信装置に通信開始要求を出力する通信開始要求出力手段と、前記第１の通信装置から前記通信開始要求に対する応答通知を受け付ける応答通知受付手段と、を含み、前記通信開始要求出力手段は、出力した通信開始要求に対する応答通知として能力不一致による接続拒否であることを示す応答通知を前記応答通知受付手段が受け付けた際に、前記出力した通信開始要求が従う通信規格で前記第１の通信装置に再度通信開始要求を出力することとしたものである。
【００１４】
請求項８に記載の発明は、通信システムであって、第１の通信装置と第２の通信装置とを備え、前記第１の通信装置は、前記第２の通信装置から通信開始要求を受け付ける通信開始要求受付手段と、前記第２の通信装置に前記通信開始要求に応じた応答通知を出力する応答通知出力手段と、前記第２の通信装置から出力される情報を受け付ける情報受付手段と、を含み、前記第２の通信装置は、前記第１の通信装置に通信開始要求を出力する通信開始要求出力手段と、前記第１の通信装置から前記通信開始要求に対する応答通知を受け付ける応答通知受付手段と、前記第１の通信装置との通信を承諾することを示す応答通知を前記応答通知受付手段が受け付けた場合に、前記第１の通信装置に出力対象となる情報を出力する情報出力手段と、を含み、前記通信開始要求出力手段は、第１の通信規格で出力した通信開始要求に対する応答通知として能力不一致による接続拒否であることを示す応答通知を前記応答通知受付手段が受け付けた際に、前記出力した通信開始要求が従う通信規格とは異なる第２の通信規格で前記第１の通信装置に再度通信開始要求を出力し、前記情報出力手段は、前記第１の通信規格で出力した通信開始要求に対して前記第１の通信装置との通信を承諾することを示す応答通知を前記応答通知受付手段が受け付けた場合に、出力対象となる情報を前記第１の通信規格で出力し、前記第２の通信規格で出力した通信開始要求に対して前記第１の通信装置との通信を承諾することを示す応答通知を前記応答通知受付手段が受け付けた場合に、前記出力対象となる情報に対応する当該情報よりも情報量が小さな情報を前記第２の通信規格で出力することとしたものである。
【００１５】
請求項９に記載の発明は、プログラムであって、出力先通信装置に通信開始要求を出力する通信開始要求出力手段、前記出力先通信装置から前記通信開始要求に対する応答通知を受け付ける応答通知受付手段、としてコンピュータを機能させ、前記通信開始要求出力手段は、出力した通信開始要求に対する応答通知として能力不一致による接続拒否であることを示す応答通知を前記応答通知受付手段が受け付けた際に、前記出力した通信開始要求が従う通信規格で前記出力先通信装置に再度通信開始要求を出力することとしたものである。
【００１６】
請求項１０に記載の発明は、プログラムであって、出力先通信装置に通信開始要求を出力する通信開始要求出力手段、前記出力先通信装置から前記通信開始要求に対する応答通知を受け付ける応答通知受付手段、前記出力先通信装置との通信を承諾することを示す応答通知を前記応答通知受付手段が受け付けた場合に、前記出力先通信装置に出力対象となる情報を出力する情報出力手段、としてコンピュータを機能させ、前記通信開始要求出力手段は、第１の通信規格で出力した通信開始要求に対する応答通知として能力不一致による接続拒否であることを示す応答通知を前記応答通知受付手段が受け付けた際に、前記出力した通信開始要求が従う通信規格とは異なる第２の通信規格で前記出力先通信装置に再度通信開始要求を出力し、前記情報出力手段は、前記第１の通信規格で出力した通信開始要求に対して前記出力先通信装置との通信を承諾することを示す応答通知を前記応答通知受付手段が受け付けた場合に、出力対象となる情報を前記第１の通信規格で出力し、前記第２の通信規格で出力した通信開始要求に対して前記出力先通信装置との通信を承諾することを示す応答通知を前記応答通知受付手段が受け付けた場合に、前記出力対象となる情報に対応する当該情報よりも情報量が小さな情報を前記第２の通信規格で出力することとしたものである。
【発明の効果】
【００１７】
請求項１，７，９に記載の発明によれば、利用者が意図しない通信規格での通信を防ぐことができる。
【００１８】
請求項２に記載の発明によれば、本構成を有しない場合と比較して、出力先通信装置との通信が承諾される可能性が増加する。
【００１９】
請求項３に記載の発明によれば、本構成を有しない場合と比較して、先に出力された通信開始要求が従う通信規格とは異なる通信規格での出力先通信装置に対する無駄な通信開始要求が発生するおそれを低減することができる。
【００２０】
請求項４に記載の発明によれば、利用者が、出力した通信開始要求が従う通信規格で出力先通信装置に再度通信開始要求を出力させるか否かを設定することができる。
【００２１】
請求項５に記載の発明によれば、出力先通信装置への出力対象となる情報に応じて、出力した通信開始要求が従う通信規格で出力先通信装置に再度通信開始要求を出力するか否かが切り替わる。
【００２２】
請求項６，８，１０に記載の発明によれば、利用者が意図しない通信規格で通信が行われる際には、利用者が意図する通信規格で通信が行われる場合よりも出力対象となる情報の情報量を抑制することができる。
【図面の簡単な説明】
【００２３】
【図１】本発明の一実施形態の全体構成の一例を示す図である。
【図２】本発明の一実施形態に係る通信システムにより実現される機能の一例を示す機能ブロック図である。
【図３】本発明の一実施形態に係る通信システムで行われる処理の流れの一例を示すフロー図である。
【図４】本発明の一実施形態に係る通信装置で行われる処理の流れの一例を示すフロー図である。
【図５】図４に示す処理の流れの第１の変型例を示すフロー図である。
【図６】図４に示す処理の流れの第２の変型例を示すフロー図である。
【図７】本発明の別の実施形態に係る通信装置で行われる処理の流れの一例を示すフロー図である。
【発明を実施するための形態】
【００２４】
以下、本発明の一実施形態について図面に基づき詳細に説明する。
【００２５】
図１は、本実施形態の全体構成の一例を示す図である。図１に例示するように、本実施形態に係る第１の通信システム１０−１、第２の通信システム１０−２、及び、第３の通信システム１０−３は、通信手段（本実施形態では、例えば、次世代ネットワーク（ＮＧＮ）１２）に接続されており、互いに通信されるようになっている。そして、第１の通信システム１０−１は、第１の通信装置１４−１と第１の中継装置１６−１とを含んでおり、第２の通信システム１０−２は、第２の通信装置１４−２と第２の中継装置１６−２とを含んでおり、第３の通信システム１０−３は、第３の通信装置１４−３と第３の中継装置１６−３とを含んでいる。
【００２６】
通信装置１４は、例えば、ＩＰファクシミリ装置であり、通信装置１４にインストールされるプログラムに従って動作するＣＰＵ等のプログラム制御デバイスである制御部、ＲＯＭやＲＡＭ等の記憶素子やハードディスクドライブなどである記憶部、タッチパネルやボタン等のユーザインタフェース（ＵＩ）部、用紙の表面上に形成された画像を読み取るスキャナ等の読み取り部、他の通信装置１４から受信した画像が形成された用紙を印刷するプリンタ等の印刷部、ＬＡＮカードなどのデジタル通信用の通信インタフェースであるデジタル通信部、アナログファクシミリ通信カードなどのアナログ通信用の通信インタフェースであるアナログ通信部、を含んで構成されている。これらの要素は、バスなどを介して接続される。
【００２７】
中継装置１６は、例えば、ＮＧＮ１２を介した通信装置１４間の通信を中継するホームゲートウェイ装置であり、通信装置１４にインストールされるプログラムに従って動作するＣＰＵ等のプログラム制御デバイスである制御部、ＲＯＭやＲＡＭ等の記憶素子やハードディスクドライブなどである記憶部、通信装置１４との間でのデジタル通信に用いられる通信ポートである第１ポート、通信装置１４との間でのアナログ通信に用いられる通信ポートである第２ポート、ＮＧＮ１２との間でのデジタル通信に用いられる通信ポートである第３ポート、を含んで構成されている。
【００２８】
そして、中継装置１６の第１ポートと通信装置１４のデジタル通信部とはデジタル通信用ケーブル（本実施形態では、例えば、ＬＡＮケーブル１８）により接続されている。そして、中継装置１６の第２ポートと通信装置１４のアナログ通信部との間はアナログ通信用ケーブル（本実施形態では、例えば、モジュラケーブル２０）により接続されている。そして、中継装置１６の第３ポートとＮＧＮ１２とは、本実施形態では、例えば、光ファイバ２２により接続されている。
【００２９】
図２は、本実施形態に係る通信システム１０により実現される機能の一例を示す機能ブロック図である。図２に例示するように、通信装置１４は、設定情報記憶部３０、画像情報生成部３２、通信開始要求出力部３４、通信開始要求受付部３６、応答通知出力部３８、応答通知受付部４０、画像情報出力部４２、画像情報受付部４４、設定受付部４６、を含んでいる。設定情報記憶部３０は、通信装置１４の記憶部を主として実現される。画像情報生成部３２は、通信装置１４の制御部や読み取り部を主として実現される。その他の要素は、通信装置１４の制御部やデジタル通信部やアナログ通信部を主として実現される。中継装置１６は、要求中継部５０と、応答通知中継部５２と、調停処理実行部５４と、画像情報中継部５６、を含んでいる。これらの要素は、中継装置１６の制御部やポートを主として実現される。
【００３０】
これらの要素は、コンピュータである通信装置１４や中継装置１６にインストールされたプログラムを、通信装置１４や中継装置１６で実行することにより実現されている。このプログラムは、例えば、ＣＤ−ＲＯＭ、ＤＶＤ−ＲＯＭなどのコンピュータ可読な情報記憶媒体を介して、あるいは、インターネットなどの通信手段を介して通信装置１４や中継装置１６に供給される。
【００３１】
ここで、本実施形態に係る通信システム１０において、第２の通信装置１４−２と第３の通信装置１４−３とが通信中である際に、第１の通信装置１４−１が第２の通信装置１４−２に通信開始要求を送信してから、第２の通信装置１４−２が能力不一致による接続拒否であることを示す応答通知を第１の通信装置１４−１に出力するまでの処理の流れの一例を、図３に示すフロー図を参照しながら説明する。
【００３２】
まず、第１の通信装置１４−１の画像情報生成部３２が、用紙の表面上に形成された画像を読み取って、その画像に対応する画像情報を生成する（Ｓ１０１）。そして、第１の通信装置１４−１の通信開始要求出力部３４が、第２の通信装置１４−２に対する第１の通信規格での通信開始要求（本処理例では、例えば、第２の通信装置１４−２に対するＩＰファクシミリ通信（例えば、Ｔ．３８プロトコルベースでの通信）の開始を要求する通信開始要求（本処理例では、例えば、ＳＩＰ（Session Initiation Protocol）におけるＩＮＶＩＴＥリクエスト））を出力する（Ｓ１０２）。そして、第１の中継装置１６−１の要求中継部５０が、この通信開始要求をＮＧＮ１２経由で第２の中継装置１６−２に到達するようこの通信開始要求を中継する（Ｓ１０３）。
【００３３】
そして、第２の中継装置１６−２の要求中継部５０が、この通信開始要求を受け付けると、この通信開始要求を第２の中継装置１６−２の第１ポート及び第２ポートに着信させる（Ｓ１０４）。ここで、第２の中継装置１６−２の第１ポートはデジタル通信に用いられる通信ポートであるので、第２の中継装置１６−２の要求中継部５０は、第１ポートから第２の通信装置１４−２へこの通信開始要求を中継出力する（Ｓ１０５）。一方、第２の中継装置１６−２の第２ポートはアナログ通信に用いられる通信ポートであるので、第２の中継装置１６−２の第２ポートは、第２の通信装置１４−２へ通信開始要求を出力することなく、能力不一致による接続拒否であることを示す応答通知（本処理例では、例えば、ＳＩＰにおけるレスポンスコードの値が４８８（Ｎｏｔ  Ａｃｃｅｐｔａｂｌｅ  Ｈｅｒｅ）である通知）を第２の中継装置１６−２の応答通知中継部５２に出力する。なお、本処理例において、能力不一致による接続拒否であることを示す応答通知とは、複数種類ある接続拒否中のＷａｒｎｉｎｇコードのうち、メディアタイプ整合エラーを示すＷａｒｎｉｎｇコード３０４（Mediatype not available）またはメディアフォーマット互換性なしを示すＷａｒｎｉｎｇコード３０４(Incompatible media format)が含まれているものを示す。
【００３４】
第２の中継装置１６−２の第１ポートから出力される通信開始要求を、第２の通信装置１４−２の通信開始要求受付部３６が受け付けると、第２の通信装置１４−２の応答通知出力部３８は、第３の通信装置１４−３との間で通信中であることに基づいて、通信中であることを示す応答通知（本処理例では、例えば、ＳＩＰにおけるレスポンスコードの値が４８６（Ｂｕｓｙ  Ｈｅｒｅ）である応答通知）を第１の通信装置１４−１に宛てて出力する。そして、第２の中継装置１６−２の応答通知中継部５２は、第１ポートを介してこの応答通知を受け付ける（Ｓ１０６）。
【００３５】
そして、第２の中継装置１６−２の調停処理実行部５４が、応答通知中継部５２が第１ポートから受け付けた通信中であることを示す応答通知と、応答通知中継部５２が第２ポートから受け付けた能力不一致による接続拒否であることを示す応答通知と、の間での調停処理を実行する（Ｓ１０７）。本実施形態では、調停処理実行部５４は、能力不一致による接続拒否であることを示す応答通知が、通信中であることを示す応答通知よりも優先順位が高いと判断して、第２の中継装置１６−２の応答通知中継部５２に、第１の通信装置１４−１に宛てて能力不一致による接続拒否であることを示す応答通知を出力することを指示する。
【００３６】
そして、第２の中継装置１６−２の応答通知中継部５２が、第１の通信装置１４−１に宛てて能力不一致による接続拒否であることを示す応答通知（本処理例では、例えば、ＳＩＰにおけるレスポンスコードの値が４８８（Ｎｏｔ  Ａｃｃｅｐｔａｂｌｅ  Ｈｅｒｅ）である通知）をＮＧＮ１２経由で第１の中継装置１６−１に出力する（Ｓ１０８）。そして、第１の中継装置１６−１の応答通知中継部５２が、第１の通信装置１４−１にこの応答通知を中継する。そして、第１の通信装置１４−１の応答通知受付部４０は、第１の通信装置１４−１の第１ポートを介してこの応答通知を受け付ける（Ｓ１０９）。
【００３７】
このようにして、本処理例に示す処理では、第１の通信装置１４−１は、能力不一致による接続拒否であることを示す応答通知を受け付けることとなる。
【００３８】
上述の処理例では、第２の通信装置１４−２と第３の通信装置１４−３とが通信中である際における処理例を示した。上述の処理例において、第２の通信装置１４−２と第３の通信装置１４−３とが通信中でない場合は、上述のＳ１０６に示す処理に相当する処理で、第２の通信装置１４−２の応答通知出力部３８は、通信を承諾することを示す応答通知（例えば、ＳＩＰにおけるレスポンスコードの値が２００（ＯＫ）である確定応答の通知）を第１の１４−１に宛てて出力する。そして、上述のＳ１０７〜Ｓ１０８に示す処理に相当する処理で、第２の中継装置１６−２の応答通知中継部５２は、第１ポートを介してこの応答通知を受け付ける。そして、第２の中継装置１６−２は、調停処理において、通信を承諾することを示す応答通知が、能力不一致による接続拒否であることを示す応答通知よりも優先順位が高いと判断して、第１の通信装置１４−１に宛てて通信を承諾することを示す応答通知を出力する。そして、上述のＳ１０９に示す処理に相当する処理で、第１の通信装置１４−１の応答通知受付部４０は、この応答通知を受け付ける。
【００３９】
上述のように、本実施形態では、第１の通信装置１４−１が第２の通信装置１４−２に出力する通信開始要求に応じて、第２の通信装置１４−２が第１の通信装置１４−１に何らかの応答通知を送信することとなる。
【００４０】
ここで、本実施形態において、上述のＳ１０１〜Ｓ１０９に示す処理により、第１の通信装置１４−１が能力不一致による接続拒否であることを示す応答通知を受け付けた際に、第１の通信装置１４−１で行われる処理の流れの一例を、図４に示すフロー図を参照しながら説明する。
【００４１】
なお、本処理例では、予め、設定情報記憶部３０に、通信開始要求を再度出力する際に、第２の通信装置１４−２との通信に用いる通信規格を切り替えるか否かを示すフォールバック設定情報が記憶されている。フォールバック設定情報の値は、ＯＮ又はＯＦＦのいずれかである。
【００４２】
まず、第１の通信装置１４−１の通信開始要求出力部３４が、設定情報記憶部３０に記憶されているフォールバック設定情報を取得して、その値がＯＮであるか否かを確認する（Ｓ２０１）。値がＯＦＦである場合は（Ｓ２０１：Ｎ）、第１の通信装置１４−１の通信開始要求出力部３４は、上述のＳ１０２に示す処理での通信と同様の第１の通信規格で（本処理例では、例えば、インターネットプロトコルによるＴ．３８プロトコルベースでのデジタル通信で）、再度、第２の通信装置１４−２に対するＩＰファクシミリ通信の開始を要求する通信開始要求（本処理例では、例えば、ＳＩＰにおけるＩＮＶＩＴＥリクエスト）を出力する（Ｓ２０２）。
【００４３】
そして、第１の通信装置１４−１の応答通知受付部４０は、第２の通信装置１４−２から出力される応答通知を受け付けて、この応答通知が通信を承諾することを示す応答通知（例えば、ＳＩＰにおけるレスポンスコードの値が２００（ＯＫ）である確定応答の通知）であるか否か（すなわち、通信が成功したか否か）を確認する（Ｓ２０３）。通信が成功していないことが確認された場合は（Ｓ２０３：Ｎ）、第１の通信装置１４−１の通信開始要求出力部３４は、上述のＳ２０２に示す処理が既に予め定められた回数（例えば、ｎ回）実行されたか否かを確認する（Ｓ２０４）。
【００４４】
実行回数がｎ回未満であることが確認された場合は（Ｓ２０４：Ｎ）、上述のＳ２０２に示す処理を再度実行する。実行回数がｎ回であることが確認された場合は（Ｓ２０４：Ｙ）、第１の通信装置１４−１の通信開始要求出力部３４は、第１の通信装置１４−１が備えるディスプレイ等に通信がエラーとなった旨を示す出力を表示出力して（Ｓ２０５）、本処理例に示す処理を終了する。
【００４５】
Ｓ２０３に示す処理において、通信が成功したことが確認された場合は（Ｓ２０３：Ｙ）、第１の通信装置１４−１は、第２の通信装置１４−２との間でインターネットプロトコルによる通信を行う（Ｓ２０６）。Ｓ２０６に示す処理では、例えば、第１の通信装置１４−１の画像情報出力部４２が送信対象となる画像情報を第２の通信装置１４−２に宛てて送信する。すると、第１の中継装置１６−１の画像情報中継部５６、第２の中継装置１６−２の画像情報中継部５６がこの画像情報を中継する。そして、第２の通信装置１４−２の画像情報受付部４４がこの画像情報を受け付ける。そして、本処理例に示す処理は終了となる。
【００４６】
Ｓ２０１に示す処理で、フォールバック設定情報の値がＯＮであることが確認された場合は（Ｓ２０１：Ｙ）、第１の通信装置１４−１の通信開始要求出力部３４は、上述のＳ１０２に示す処理での通信とは異なる第２の通信規格で（本処理例では、例えば、Ｔ．３０プロトコルベースのＧ３モードでのアナログ通信で）、モジュラケーブル２０経由で、第２の通信装置１４−２に対して通信開始要求を出力する（Ｓ２０７）。この通信開始要求は、第１の中継装置１６−１、ＮＧＮ１２、第２の中継装置１６−２、モジュラケーブル２０を経由して、第２の通信装置１４−２に到達する。そして第２通信装置１４−２は、第１の通信装置１４−１に宛てて応答通知を出力する。そして、第１の通信装置１４−１の応答通知受付部４０は、第２の通信装置１４−２から出力される応答通知をモジュラケーブル２０経由で受け付けて、この応答通知が通信を承諾することを示す応答通知であるか否か（すなわち、通信が成功したか否か）を確認する（Ｓ２０８）。通信が成功していないことが確認された場合は（Ｓ２０８：Ｎ）、第１の通信装置１４−１の通信開始要求出力部３４は、上述のＳ２０７に示す処理が既に予め定められた回数（例えば、ｎ回）実行されたか否かを確認する（Ｓ２０９）。
【００４７】
実行回数がｎ回未満であることが確認された場合は（Ｓ２０９：Ｎ）、第１の通信装置１４−１は、上述のＳ２０７に示す処理を再度実行する。実行回数がｎ回であることが確認された場合は（Ｓ２０９：Ｙ）、第１の通信装置１４−１の通信開始要求出力部３４は、第１の通信装置１４−１が備えるディスプレイ等に通信がエラーとなった旨を示す出力を表示出力して（Ｓ２１０）、本処理例に示す処理を終了する。
【００４８】
Ｓ２０８に示す処理において、通信が成功したことが確認された場合は（Ｓ２０８：Ｙ）、第１の通信装置１４−１は、第２の通信装置１４−２との間でＧ３モードでのアナログ通信を行う（Ｓ２１１）。Ｓ２１１に示す処理では、例えば、第１の通信装置１４−１の画像情報出力部４２が、送信対象となる画像情報を第２の通信装置１４−２に宛てて送信する。すると、第１の中継装置１６−１の画像情報中継部５６、第２の中継装置１６−２の画像情報中継部５６がこの画像情報を中継する。そして、第２の通信装置１４−２の画像情報受付部４４がこの画像情報を受け付ける。そして、本処理例に示す処理は終了となる。
【００４９】
なお、設定情報記憶部３０に、フォールバック設定情報の代わりに、例えば、上述のＳ１０１〜Ｓ１０９に示す処理により、第１の通信装置１４−１が能力不一致による接続拒否であることを示す応答通知を受け付けた際に、デジタル通信での通信開始要求を出力するか、アナログ通信での通信開始要求を出力するか、を示す設定情報が記憶されていてもよい。そして、上述のＳ２０１に示す処理において、第１の通信装置１４−１の通信開始要求出力部３４が、この設定情報の設定を確認するようにしてもよい。そして、第１の通信装置１４−１は、デジタル通信で通信開始要求を出力することが設定情報に設定されている場合は、上述のＳ２０２以降に示す処理を実行し、アナログ通信で通信開始要求を出力することが設定情報に設定されている場合は、上述のＳ２０７以降に示す処理を実行するようにしてもよい。
【００５０】
また、上述の設定情報において、ファクシミリ番号に対応付けられる短縮ダイヤルＩＤ毎に、デジタル通信で通信開始要求を出力するか、アナログ通信で通信開始要求を出力するが設定されていてもよい。そして、第１の通信装置１４−１が、利用者から発信先のファクシミリ番号に対応付けられる短縮ダイヤルＩＤを受け付けて、その短縮ダイヤルＩＤに対応する通信装置１４に通信開始要求を送信する場合に、その短縮ダイヤルＩＤの値に応じて、上述のＳ２０２以降に示す処理を実行するか上述のＳ２０７以降に示す処理を実行するかを切り替えるようにしてもよい。
【００５１】
また、第１の通信装置１４−１の設定受付部４６が、上述のＳ１０１〜Ｓ１０９に示す処理により、第１の通信装置１４−１が能力不一致による接続拒否であることを示す応答通知を受け付けた際に、デジタル通信で通信開始要求を出力するか、アナログ通信で通信開始要求を出力するか、を選択するポップアップ画面をタッチパネルなどに表示出力するようにしてもよい。そして、第１の通信装置１４−１の設定受付部４６が、利用者から、デジタル通信又はアナログ通信の選択を受け付けてもよい。そして、第１の通信装置１４−１が、第１の通信装置１４−１が能力不一致による接続拒否であることを示す応答通知を受け付けた際に、受け付けた設定に応じて、上述のＳ２０２以降に示す処理を実行するか上述のＳ２０７以降に示す処理を実行するかを切り替えるようにしてもよい。
【００５２】
次に、図４に示す処理の流れの第１の変型例を、図５に示すフロー図を参照しながら説明する。なお、本処理例でも、予め、設定情報記憶部３０に上述のフォールバック設定情報が記憶されている。
【００５３】
まず、第１の通信装置１４−１の通信開始要求出力部３４が、設定情報記憶部３０に記憶されているフォールバック設定情報を取得して、その値がＯＮであるか否かを確認する（Ｓ３０１）。値がＯＦＦである場合は（Ｓ３０１：Ｎ）、第１の通信装置１４−１の通信開始要求出力部３４は、第１の通信装置１４−１が備えるディスプレイ等に通信がエラーとなった旨を示す出力を表示出力して（Ｓ３０２）、本処理例に示す処理を終了する。
【００５４】
値がＯＮである場合は（Ｓ３０１：Ｙ）、第１の通信装置１４−１の通信開始要求出力部３４は、上述のＳ１０２に示す処理での通信と同様の第１の通信規格で、再度、第２の通信装置１４−２に対するＩＰファクシミリ通信の開始を要求する通信開始要求を出力する（Ｓ３０３）。そして、第１の通信装置１４−１の応答通知受付部４０は、通信が成功したか否かを確認する（Ｓ３０４）。通信が成功していないことが確認された場合は（Ｓ３０４：Ｎ）、第１の通信装置１４−１の通信開始要求出力部３４は、上述のＳ３０４に示す処理が既に予め定められた回数（例えば、ｍ回）実行されたか否かを確認する（Ｓ３０５）。
【００５５】
実行回数がｍ回未満であることが確認された場合は（Ｓ３０５：Ｎ）、第１の通信装置１４−１は、上述のＳ３０３に示す処理を再度実行する。実行回数がｍ回であることが確認された場合は（Ｓ３０５：Ｙ）、第１の通信装置１４−１の通信開始要求出力部３４は、上述のＳ１０２に示す処理での通信とは異なる第２の通信規格で、モジュラケーブル２０経由で、第２の通信装置１４−２に対して通信開始要求を出力する（Ｓ３０６）。そして、第１の通信装置１４−１の応答通知受付部４０は、第２の通信装置１４−２から出力される応答通知をモジュラケーブル２０経由で受け付けて、この応答通知が通信を承諾することを示す応答通知であるか否か（すなわち、通信が成功したか否か）を確認する（Ｓ３０７）。通信が成功していないことが確認された場合は（Ｓ３０７：Ｎ）、第１の通信装置１４−１の通信開始要求出力部３４は、上述のＳ３０３に示す処理の実行回数と上述のＳ３０６に示す処理の実行回数の合計が予め定められた回数（例えば、ｎ回）に達したか否か（すなわち、上述のＳ３０６に示す処理の実行回数がｎ−ｍ回に達したか否か）を確認する（Ｓ３０８）。
【００５６】
達していないことが確認された場合は（Ｓ３０８：Ｎ）、第１の通信装置１４−１は、上述のＳ３０６に示す処理を再度実行する。達していることが確認された場合は（Ｓ３０８：Ｙ）、第１の通信装置１４−１の通信開始要求出力部３４は、第１の通信装置１４−１が備えるディスプレイ等に通信がエラーとなった旨を示す出力を表示出力して（Ｓ３０９）、本処理例に示す処理を終了する。
【００５７】
Ｓ３０７に示す処理において、通信が成功したことが確認された場合は（Ｓ３０７：Ｙ）、第１の通信装置１４−１と第２の通信装置１４−２との間でＧ３モードでのアナログ通信が行われる（Ｓ３１０）。そして、本処理例に示す処理は終了となる。
【００５８】
Ｓ３０４に示す処理において、通信が成功したことが確認された場合は（Ｓ３０４：Ｙ）、第１の通信装置１４−１と第２の通信装置１４−２との間でインターネットプロトコルによる通信が行われる（Ｓ３１１）。そして、本処理例に示す処理は終了となる。
【００５９】
次に、図４に示す処理の流れの第２の変型例を、図６に示すフロー図を参照しながら説明する。なお、本処理例でも、予め、設定情報記憶部３０に上述のフォールバック設定情報が記憶されている。
【００６０】
まず、第１の通信装置１４−１の通信開始要求出力部３４が、設定情報記憶部３０に記憶されているフォールバック設定情報を取得して、その値がＯＮであるか否かを確認する（Ｓ４０１）。値がＯＦＦである場合は（Ｓ４０１：Ｎ）、第１の通信装置１４−１の通信開始要求出力部３４は、第１の通信装置１４−１が備えるディスプレイ等に通信がエラーとなった旨を示す出力を表示出力して（Ｓ４０２）、本処理例に示す処理を終了する。
【００６１】
値がＯＮである場合は（Ｓ４０１：Ｙ）、第１の通信装置１４−１の通信開始要求出力部３４は、上述のＳ１０２に示す処理での通信とは異なる第２の通信規格で、モジュラケーブル２０経由で、第２の通信装置１４−２に対して通信開始要求を出力する（Ｓ４０３）。そして、第１の通信装置１４−１の応答通知受付部４０は、第２の通信装置１４−２から出力される応答通知をモジュラケーブル２０経由で受け付けて、この応答通知が通信を承諾することを示す応答通知であるか否か（すなわち、通信が成功したか否か）を確認する（Ｓ４０４）。通信が成功していないことが確認された場合は（Ｓ４０４：Ｎ）、第１の通信装置１４−１の通信開始要求出力部３４は、第２の通信装置１４−２が通信中であることを示す応答通知を受け付けた、又は、予め定められた待ち時間Ｔ０を経過しても第２の通信装置１４−２からの応答通知が第１の通信装置１４−１に到来しなかった（Ｔ０タイムアウト）、のいずれかの条件を満足するか否かを確認する（Ｓ４０５）。
【００６２】
Ｓ４０５に示す条件を満足しない場合は（Ｓ４０５：Ｎ）、第１の通信装置１４−１は、上述のＳ４０３に示す処理を再度実行する。Ｓ４０５に示す条件を満足する場合は（Ｓ４０５：Ｙ）、第１の通信装置１４−１の通信開始要求出力部３４は、上述のＳ１０２に示す処理での通信と同様の第１の通信規格で、再度、第２の通信装置１４−２に対するＩＰファクシミリ通信の開始を要求する通信開始要求を出力する（Ｓ４０６）。そして、第１の通信装置１４−１の応答通知受付部４０は、第２の通信装置１４−２から出力される応答通知を受け付けて通信が成功したか否かを確認する（Ｓ４０７）。通信が成功していないことが確認された場合は（Ｓ４０７：Ｎ）、第１の通信装置１４−１の通信開始要求出力部３４は、上述のＳ４０６に示す処理が既に予め定められた回数（例えば、ｎ回）実行されたか否かを確認する（Ｓ４０８）。
【００６３】
実行回数がｎ回未満であることが確認された場合は（Ｓ４０８：Ｎ）、第１の通信装置１４−１の通信開始要求出力部３４は、上述のＳ４０７に示す処理で第１の通信装置１４−１の応答通知受付部４０が受け付けた応答通知が、能力不一致による接続拒否であることを示す応答通知（本処理例では、例えば、ＳＩＰにおけるレスポンスコードの値が４８８（Ｎｏｔ  Ａｃｃｅｐｔａｂｌｅ  Ｈｅｒｅ）である通知）であるか否かを確認する（Ｓ４０９）。能力不一致による接続拒否であることを示す応答通知である場合は（Ｓ４０９：Ｙ）、第１の通信装置１４−１は、上述のＳ４０３に示す処理を実行する。そうでない場合は（Ｓ４０９：Ｎ）、第１の通信装置１４−１は、上述のＳ４０６に示す処理を実行する。
【００６４】
上述のＳ４０８に示す処理で、実行回数がｎ回であることが確認された場合は（Ｓ４０８：Ｙ）、第１の通信装置１４−１の通信開始要求出力部３４は、第１の通信装置１４−１が備えるディスプレイ等に通信がエラーとなった旨を示す出力を表示出力して（Ｓ４１０）、本処理例に示す処理を終了する。
【００６５】
Ｓ４０７に示す処理において、通信が成功したことが確認された場合は（Ｓ４０７：Ｙ）、第１の通信装置１４−１と第２の通信装置１４−２との間でインターネットプロトコルによる通信が行われる（Ｓ４１１）。そして、本処理例に示す処理は終了となる。
【００６６】
Ｓ４０４に示す処理において、通信が成功したことが確認された場合は（Ｓ４０４：Ｙ）、第１の通信装置１４−１は、第２の通信装置１４−２との間でＧ３モードでのアナログ通信を行う（Ｓ４１２）。そして、本処理例に示す処理は終了となる。
【００６７】
なお、本発明は上述の実施形態に限定されるものではない。以下、本発明の別の実施形態について説明する。
【００６８】
この実施形態の全体構成の一例は図１に示されている構成と同様である。また、この実施形態に係る通信システム１０により実現される機能の一例を示す機能ブロック図は、図２に示されている機能ブロック図と同様である。
【００６９】
そして、本実施形態に係る第１の通信装置１４−１の設定受付部４６は、上述のＳ１０１に示す処理において、利用者から画像情報の送信に関する設定（例えば、解像度の設定（例えば、２００×１００ｄｐｉ、２００×２００ｄｐｉ、２００×４００ｄｐｉ、２００×６００ｄｐｉのいずれか）、原稿種類の設定（例えば、文字、写真、カラーのいずれか）など）も受け付ける。そして、上述のＳ１０１に示す処理で、第１の通信装置１４−１の画像情報生成部３２は、上記設定に従った画像情報を生成する。
【００７０】
ここで、本実施形態における、上述のＳ２０１〜Ｓ２１１に示す処理に相当する処理の流れの一例を図７に示すフロー図を参照しながら説明する。なお、本処理例では、予め、設定情報記憶部３０に、上述の設定に関する条件（例えば、原稿種類の設定が「カラー」又は「写真」であること、及び、解像度の設定が２００×６００ｄｐｉ（超高解像度に対応）であること、の少なくとも一方に該当するという条件）を示す画像設定条件情報が記憶されている。
【００７１】
まず、第１の通信装置１４−１の通信開始要求出力部３４が、設定情報記憶部３０に記憶されている画像設定条件情報を取得して、利用者から受け付けた画像情報の送信に関する設定が、画像設定条件情報が示す条件を満足するか否かを確認する（Ｓ５０１）。条件を満足する場合は（Ｓ５０１：Ｙ）、第１の通信装置１４−１の通信開始要求出力部３４は、例えば、画像圧縮による低解像度化を行ったり、白黒化したりするなどして、送信対象となる画像情報の情報量を低減する（Ｓ５０２）。Ｓ５０２に示す処理の終了後、又は、Ｓ５０１に示す処理において条件を満足しないことが確認された場合は（Ｓ５０１：Ｎ）、第１の通信装置１４−１の通信開始要求出力部３４は、上述のＳ１０２に示す処理での通信とは異なる第２の通信規格で、モジュラケーブル２０経由で、第２の通信装置１４−２に対して通信開始要求を出力する（Ｓ５０３）。そして、第１の通信装置１４−１の応答通知受付部４０は、第２の通信装置１４−２から出力される応答通知をモジュラケーブル２０経由で受け付けて、通信が成功したか否かを確認する（Ｓ５０４）。通信が成功していないことが確認された場合は（Ｓ５０４：Ｎ）、第１の通信装置１４−１の通信開始要求出力部３４は、上述のＳ５０３に示す処理が既に予め定められた回数（例えば、ｎ回）実行されたか否かを確認する（Ｓ５０５）。
【００７２】
実行回数がｎ回未満であることが確認された場合は（Ｓ５０５：Ｎ）、上述のＳ５０３に示す処理を再度実行する。実行回数がｎ回であることが確認された場合は（Ｓ５０５：Ｙ）、第１の通信装置１４−１の通信開始要求出力部３４は、第１の通信装置１４−１が備えるディスプレイ等に通信がエラーとなった旨を示す出力を表示出力して（Ｓ５０６）、本処理例に示す処理を終了する。
【００７３】
Ｓ５０４に示す処理において、通信が成功したことが確認された場合は（Ｓ５０４：Ｙ）、第１の通信装置１４−１は、第２の通信装置１４−２との間でＧ３モードでのアナログ通信を行う（Ｓ５０７）。Ｓ５０７に示す処理では、例えば、第１の通信装置１４−１の画像情報出力部４２が送信対象となる画像情報（Ｓ５０２に示す処理が実行された場合には情報量の低減後の画像情報）を第２の通信装置１４−２に宛てて送信する。すると、第１の中継装置１６−１の画像情報中継部５６、第２の中継装置１６−２の画像情報中継部５６がこの画像情報を中継する。そして、第２の通信装置１４−２の画像情報受付部４４がこの画像情報を受け付ける。そして、本処理例に示す処理は終了となる。
【００７４】
なお、本処理例において、例えば、第１の通信装置１４−１は、Ｓ５０１に示す処理において条件を満足すると判断される場合に、上述のＳ５０２〜Ｓ５０７に示す処理の代わりに上述のＳ２０２〜Ｓ２０６に示す処理を実行するようにしてもよい。また、第１の通信装置１４−１は、例えば、Ｓ５０１に示す処理において条件を満足しないと判断される場合に、上述のＳ５０３〜Ｓ５０７に示す処理の代わりに上述のＳ２０７〜Ｓ２１１に示す処理を実行するようにしてもよい。
【００７５】
また、本処理例において、例えば、第１の通信装置１４−１の設定受付部４６が、タッチパネルに表示されるポップアップ画面を介して、利用者から、画質を優先するか料金を優先するかについての選択を受け付けてもよい。そして、第１の通信装置１４−１が、受け付けた利用者の選択に応じて、画質優先又は料金優先のいずれか一方を示す優先設定情報を生成して、設定情報記憶部３０に記憶させるようにしてもよい。そして、上述のＳ５０１に示す処理において条件を満足すると判断される場合に、第１の通信装置１４−１の通信開始要求出力部３４は、優先設定情報において料金優先が設定されている場合に、上述のＳ５０２に示す処理を実行し、優先設定情報において画質優先が設定されている場合には、上述のＳ５０２に示す処理を実行せずにＳ５０３以降の処理を実行するようにしてもよい。
【００７６】
なお、本発明は上述の実施形態にも限定されるものではない。
【００７７】
例えば、上述のＳ１０１に示す処理において、第１の通信装置１４−１の設定受付部４６が、デジタル通信での画像情報の送信に関する設定（例えば、解像度の設定（例えば、２００×１００ｄｐｉ、２００×２００ｄｐｉ、２００×４００ｄｐｉ、２００×６００ｄｐｉのいずれか）、原稿種類の設定（例えば、文字、写真、カラーのいずれか）など）を示す情報と、アナログ通信での画像情報の送信に関する設定を示す情報と、を利用者から受け付けてもよい。そして、例えば、上述のＳ１０９に示す処理に相当する処理において第１の通信装置１４−１の応答通知受付部４０が通信を承諾することを示す応答通知を受け付けた場合に、第１の通信装置１４−１が、デジタル通信での画像情報の送信に関する設定に従った画像情報を第２の通信装置１４−２に送信するようにしてもよい。また、上述のＳ１０９に示す処理に相当する処理において第１の通信装置１４−１の応答通知受付部４０が予め定められた再送対象となる応答通知を受け付けた場合に、第１の通信装置１４−１が、予め定められた回数（例えば、ｎ回）の範囲内で、上述のＳ１０２以降の処理を繰り返し実行してもよい。また、上述のＳ１０９に示す処理に相当する処理において第１の通信装置１４−１の応答通知受付部４０が能力不一致による接続拒否であることを示す応答通知を受け付けた場合に、第１の通信装置１４−１が、上述のＳ２０８〜Ｓ２１１に示す処理と同様の処理を実行するようにしてもよい。このとき、第１の通信装置１４−１は、上述のＳ２１１に相当する処理を実行する際に、利用者から受け付けた情報が示すアナログ通信での画像情報の送信に関する設定に従った画像情報を第２の通信装置１４−２に送信するようにしてもよい。
【００７８】
また、設定情報記憶部３０に、デジタル通信での画像情報の送信に関するデフォルト設定を示す情報と、アナログ通信での画像情報の送信に関するデフォルト設定を示す情報と、が予め記憶されていてもよい。そして、第１の通信装置１４−１が、デジタル通信での画像情報の送信に関する設定を示す情報、及び、アナログ通信での画像情報の送信に関する設定を示す情報の少なくとも一方を受け付けなかった場合に、設定情報記憶部３０に記憶されている情報が示すデフォルト設定に従った画像情報を第２の通信装置１４−２に送信するようにしてもよい。
【００７９】
また、例えば、上述の実施形態を、通信装置１４間の情報のやりとりが、ＳＩＰ以外のプロトコル（例えば、Ｈ．３２３やＭＧＣＰなど）で行われる場面に応用しても構わない。また、本実施形態を、ＮＧＮ１２とは異なる通信手段（例えば、ＬＡＮやインターネットなど）に接続された通信システム１０間の通信に応用しても構わない。また、本実施形態をファクシミリ装置以外の装置（例えば、電話装置やストリーム配信装置など）に応用しても構わない。また、例えば、通信装置１４のデジタル通信部に接続されているＬＡＮケーブル１８がインターネット等のＩＰネットワークに接続されていて、通信装置１４のアナログ通信部に接続されているモジュラケーブル２０が公衆電話交換回線網に接続されていてもよい。
【００８０】
なお、上述の具体的な数値や文字列は例示であり、これらの数値や文字列には限定されない。
【符号の説明】
【００８１】
１０  通信システム、１２  次世代ネットワーク（ＮＧＮ）、１４  通信装置、１６  中継装置、１８  ＬＡＮケーブル、２０  モジュラケーブル、２２  光ファイバ、３０  設定情報記憶部、３２  画像情報生成部、３４  通信開始要求出力部、３６  通信開始要求受付部、３８  応答通知出力部、４０  応答通知受付部、４２  画像情報出力部、４４  画像情報受付部、４６  設定受付部、５０  要求中継部、５２  応答通知中継部、５４  調停処理実行部、５６  画像情報中継部。
【図１】
0005605118.tif 000002
【図２】
0005605118.tif 000003
【図３】
0005605118.tif 000004
【図４】
0005605118.tif 000005
【図５】
0005605118.tif 000006
【図６】
0005605118.tif 000007
【図７】
0005605118.tif 000008